(57)【要約】【課題】光ディスク装置、および領域判断方法を提供すること。【解決手段】トラッキングエラー信号生成部と、トラッキングエラー信号を２値化して２値化トラッキングエラー信号を生成するエラー信号２値化部と、再生信号を生成する再生信号生成部と、前記再生信号を第１のレベル、または前記第１のレベルより低い第２のレベルに２値化して２値化再生信号を生成する再生信号２値化部と、前記２値化トラッキングエラー信号の周期単位で、周期のうちの少なくとも１期間において前記２値化再生信号が前記第１のレベルであったか否かを検出する検出部と、周期のうちの少なくとも１期間において前記２値化再生信号が前記第１のレベルであった前記２値化トラッキングエラー信号の周期が前記検出部により検出されなかった場合、前記所定領域が未記録領域であると判断する判断部と、を備える光ディスク装置。【選択図】図７
2009283066.tif 000002
【特許請求の範囲】
【請求項１】
光ディスクの所定領域からの反射光に基づいてトラッキングエラー信号を生成するトラッキングエラー信号生成部と；
前記トラッキングエラー信号を２値化して２値化トラッキングエラー信号を生成するエラー信号２値化部と；
前記光ディスクの前記所定領域からの反射光に基づいて再生信号を生成する再生信号生成部と；
前記再生信号を第１のレベル、または前記第１のレベルより低い第２のレベルに２値化して２値化再生信号を生成する再生信号２値化部と；
前記２値化トラッキングエラー信号の周期単位で、周期のうちの少なくとも１期間において前記２値化再生信号が前記第１のレベルであったか否かを検出する検出部と；
周期のうちの少なくとも１期間において前記２値化再生信号が前記第１のレベルであった前記２値化トラッキングエラー信号の周期が前記検出部により検出されなかった場合、前記所定領域が未記録領域であると判断する判断部と；
を備える、光ディスク装置。
【請求項２】
前記光ディスク装置は、
周期のうちの少なくとも１期間において前記２値化再生信号が前記第１のレベルであった前記２値化トラッキングエラー信号の周期を計数する第１の計数部をさらに備え、
前記判断部は、前記第１の計数部により得られた値が所定値を下回っていた場合、前記所定領域が未記録領域であると判断する、請求項１に記載の光ディスク装置。
【請求項３】
前記光ディスク装置は、
前記２値化トラッキングエラー信号の周期を計数する第２の計数部をさらに備え、
前記判断部は、前記第１の計数部により得られた値が前記第２の計数部により得られた値の所定の割合を下回っていた場合、前記所定領域が未記録領域であると判断する、請求項２に記載の光ディスク装置。
【請求項４】
光ディスクの所定領域からの反射光に基づいてトラッキングエラー信号を生成するトラッキングエラー信号生成部と；
前記トラッキングエラー信号を２値化して２値化トラッキングエラー信号を生成するエラー信号２値化部と；
前記光ディスクの前記所定領域からの反射光に基づいて再生信号を生成する再生信号生成部と；
前記再生信号を第１のレベル、または前記第１のレベルより低い第２のレベルに２値化して２値化再生信号を生成する再生信号２値化部と；
周期のうちの少なくとも１期間において前記２値化再生信号が前記第１のレベルであった前記２値化トラッキングエラー信号の周期を計数する第１の計数部と；
前記２値化トラッキングエラー信号の周期を計数する第２の計数部と；
前記第１の計数部により得られた値が前記第２の計数部により得られた値に対する所定の割合を上回っていた場合、前記所定領域が記録領域であると判断する判断部と；
を備える、光ディスク装置。
【請求項５】
光ディスクの所定領域からの反射光に基づいてトラッキングエラー信号を生成するステップと；
前記トラッキングエラー信号を２値化して２値化トラッキングエラー信号を生成するステップと；
前記光ディスクの前記所定領域からの反射光に基づいて再生信号を生成するステップと；
前記再生信号を第１のレベル、または前記第１のレベルより低い第２のレベルに２値化して２値化再生信号を生成するステップと；
前記２値化トラッキングエラー信号の周期単位で、周期のうちの少なくとも１期間において前記２値化再生信号が前記第１のレベルであったか否かを検出するステップと；
周期のうちの少なくとも１期間において前記２値化再生信号が前記第１のレベルであった前記２値化トラッキングエラー信号の周期が前記検出部により検出されなかった場合、前記所定領域が未記録領域であると判断するステップと；
を含む、領域判断方法。
【請求項６】
光ディスクの所定領域からの反射光に基づいてトラッキングエラー信号を生成するステップと；
前記トラッキングエラー信号を２値化して２値化トラッキングエラー信号を生成するステップと；
前記光ディスクの前記所定領域からの反射光に基づいて再生信号を生成するステップと；
前記再生信号を第１のレベル、または前記第１のレベルより低い第２のレベルに２値化して２値化再生信号を生成するステップと；
周期のうちの少なくとも１期間において前記２値化再生信号が前記第１のレベルであった前記２値化トラッキングエラー信号の周期を計数する第１の計数ステップと；
前記２値化トラッキングエラー信号の周期を計数する第２の計数ステップと；
前記第１の計数ステップにおいて得られた値が前記第２の計数ステップにおいて得られた値に対する所定の割合を上回っていた場合、前記所定領域が記録領域であると判断するステップと；
を含む、領域判断方法。
【発明の詳細な説明】
【技術分野】
【０００１】
本発明は、光ディスク装置、および領域判断方法に関する。
【背景技術】
【０００２】
近日、映像データおよび音楽データなどのデータをデジタル形式で記憶可能な光ディスク、および、光ディスクへのデータ記録や光ディスクからのデータ再生を行なう光ディスク装置が広く普及している。
【０００３】
光ディスクにはトラックが形成されており、光ディスク装置は、光ディスクから得られるトラッキングエラー信号に基づいて光ピックアップをトラックに追従させる（トラッキングサーボ）。ここで、トラッキングエラー信号の振幅は、光ディスクの記録領域であるか未記録領域であるかに応じて異なる。このため、光ディスク装置は、ゲイン調整に際して、光ディスクの対象領域が記録領域であるか未記録領域であるかを把握している必要があった。
【０００４】
例えば、記録領域であるか未記録領域であるかを判断するため方法として、実際にトラックを追従して再生信号を生成する方法が考えられる。また、特許文献１には、光ピックアップから照射されるレーザ光の焦点位置を半径方向へ移動させ、移動中のＲＦ信号（再生信号）の振幅が閾値を上回っている場合に対象領域が記録領域であると判断するディスク再生装置が記載されている。
【０００５】
【特許文献１】特開２００５−３３９７２６号公報
【発明の開示】
【発明が解決しようとする課題】
【０００６】
しかし、実際にトラックを追従して再生信号を生成する方法では、光ディスクの対象領域を再生する必要があるため、相応の時間を要するという問題があった。また、ＲＦ信号の振幅は、記録領域であってもトラック溝の間隔において落ち込むため、従来のディスク再生装置では適切に対象領域が記録領域であるか未記録領域であるかを判断することが困難であった。
【０００７】
そこで、本発明は、上記問題に鑑みてなされたものであり、本発明の目的とするところは、光ディスクの対象領域が記録領域であるか、または未記録領域であるかをより高い精度で判断することが可能な、新規かつ改良された光ディスク装置、および領域判断方法を提供することにある。
【課題を解決するための手段】
【０００８】
上記課題を解決するために、本発明のある観点によれば、光ディスクの所定領域からの反射光に基づいてトラッキングエラー信号を生成するトラッキングエラー信号生成部と、前記トラッキングエラー信号を２値化して２値化トラッキングエラー信号を生成するエラー信号２値化部と、前記光ディスクの前記所定領域からの反射光に基づいて再生信号を生成する再生信号生成部と、前記再生信号を第１のレベル、または前記第１のレベルより低い第２のレベルに２値化して２値化再生信号を生成する再生信号２値化部と、前記２値化トラッキングエラー信号の周期単位で、前記周期のうちの少なくとも１期間において前記２値化再生信号が前記第１のレベルであったか否かを検出する検出部と、周期のうちの少なくとも１期間において前記２値化再生信号が前記第１のレベルであった前記２値化トラッキングエラー信号の周期が前記検出部により検出されなかった場合、前記所定領域が未記録領域であると判断する判断部と、を備える光ディスク装置が提供される。
【０００９】
また、前記光ディスク装置は、周期のうちの少なくとも１期間において前記２値化再生信号が前記第１のレベルであった前記２値化トラッキングエラー信号の周期を計数する第１の計数部をさらに備え、前記判断部は、前記第１の計数部により得られた値が所定値を下回っていた場合、前記所定領域が未記録領域であると判断してもよい。
【００１０】
また、前記光ディスク装置は、前記２値化トラッキングエラー信号の周期を計数する第２の計数部をさらに備え、前記判断部は、前記第１の計数部により得られた値が前記第２の計数部により得られた値の所定の割合を下回っていた場合、前記所定領域が未記録領域であると判断してもよい。
【００１１】
また、上記課題を解決するために、本発明の別の観点によれば、光ディスクの所定領域からの反射光に基づいてトラッキングエラー信号を生成するトラッキングエラー信号生成部と、前記トラッキングエラー信号を２値化して２値化トラッキングエラー信号を生成するエラー信号２値化部と、前記光ディスクの前記所定領域からの反射光に基づいて再生信号を生成する再生信号生成部と、前記再生信号を第１のレベル、または前記第１のレベルより低い第２のレベルに２値化して２値化再生信号を生成する再生信号２値化部と、周期のうちの少なくとも１期間において前記２値化再生信号が前記第１のレベルであった前記２値化トラッキングエラー信号の周期を計数する第１の計数部と、前記２値化トラッキングエラー信号の周期を計数する第２の計数部と、前記第１の計数部により得られた値が前記第２の計数部により得られた値に対する所定の割合を上回っていた場合、前記所定領域が記録領域であると判断する判断部と、を備える光ディスク装置が提供される。
【００１２】
また、上記課題を解決するために、本発明の別の観点によれば、光ディスクの所定領域からの反射光に基づいてトラッキングエラー信号を生成するステップと、前記トラッキングエラー信号を２値化して２値化トラッキングエラー信号を生成するステップと、前記光ディスクの前記所定領域からの反射光に基づいて再生信号を生成するステップと、前記再生信号を第１のレベル、または前記第１のレベルより低い第２のレベルに２値化して２値化再生信号を生成するステップと、前記２値化トラッキングエラー信号の周期単位で、前記周期のうちの少なくとも１期間において前記２値化再生信号が前記第１のレベルであったか否かを検出するステップと、周期のうちの少なくとも１期間において前記２値化再生信号が前記第１のレベルであった前記２値化トラッキングエラー信号の周期が前記検出部により検出されなかった場合、前記所定領域が未記録領域であると判断するステップと、を含む領域判断方法が提供される。
【００１３】
また、上記課題を解決するために、本発明の別の観点によれば、光ディスクの所定領域からの反射光に基づいてトラッキングエラー信号を生成するステップと、前記トラッキングエラー信号を２値化して２値化トラッキングエラー信号を生成するステップと、前記光ディスクの前記所定領域からの反射光に基づいて再生信号を生成するステップと、前記再生信号を第１のレベル、または前記第１のレベルより低い第２のレベルに２値化して２値化再生信号を生成するステップと、周期のうちの少なくとも１期間において前記２値化再生信号が前記第１のレベルであった前記２値化トラッキングエラー信号の周期を計数する第１の計数ステップと、前記２値化トラッキングエラー信号の周期を計数する第２の計数ステップと、前記第１の計数ステップにおいて得られた値が前記第２の計数ステップにおいて得られた値に対する所定の割合を上回っていた場合、前記所定領域が記録領域であると判断するステップと、を含む領域判断方法が提供される。
【発明の効果】
【００１４】
以上説明したように本発明にかかる光ディスク装置、および領域判断方法によれば、光ディスクの対象領域が記録領域であるか、または未記録領域であるかをより高い精度で判断することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、以下に示す項目順序に従って当該「発明を実施するための最良の形態」を説明する。
〔１〕本実施形態に至る経緯
〔２〕本実施形態にかかる光ディスク装置
〔２−１〕光ディスク装置の構成
〔２−２〕光ディスク装置の動作
〔３〕まとめ
【００１７】
〔１〕本実施形態に至る経緯
まず、図１〜図４を参照し、本実施形態に至った経緯を説明する。
【００１８】
図１は、光ディスクの記録領域における各信号波形の一例を示した説明図である。より詳細には、図１には、ＴＥ（トラッキングエラー）信号、およびＲＦ信号の振幅信号であるＲＦＲＰ（Ｒａｄｉｏ  Ｆｒｅｑｕｅｎｃｙ  Ｒｉｐｐｌｅ）信号の信号波形を示している。オントラック時（図１の破線で示したタイミング）にはＲＦ信号が存在し、オフトラック時（トラック溝の間隔）にはＲＦ信号が存在しないため、図１に示したように、ＴＥ信号とＲＦＲＰ信号は位相が異なる波形を有することが知られている。
【００１９】
一方、図２は、記録領域および未記録領域が混在した場合の各信号波形の一例を示した説明図である。図２に示したように、未記録領域においてはＴＥ信号の振幅が記録領域も大きくなる。したがって、未記録領域と記録領域を区別しなければ、例えばトラッキングゲイン調整などのサーボ信号の調整を適切に行なうことができない。なお、図２においては未記録領域においてＴＥ信号の振幅が記録領域も大きくなる例を示したが、かかる振幅の変化はメディア特性に応じて異なるため、未記録領域においてＴＥ信号の振幅が記録領域より小さくなる場合も想定される。この場合にも、サーボ信号の調整に際して未記録領域と記録領域が区別されていることが望ましい。
【００２０】
このため、光ディスクの未記録領域と記録領域を区別するための方法が研究されている。以下、図３および図４を参照し、光ディスクの未記録領域と記録領域を区別するための方法の一例を説明する。
【００２１】
図３は、光ディスクの未記録領域と記録領域を区別するための方法の一例を示した説明図である。より詳細には、図３は、ＲＦＲＰ信号の振幅が閾値を上回っているか否かに基づいて未記録領域と記録領域を区別する方法を示している。しかし、図３に示したように、ＲＦＲＰ信号の振幅をＲＦＲＰ信号検出閾値で２値化したＲＥＣＤ信号は、記録領域においてもＲＦＲＰ信号検出閾値を下回る場合がある。これは、光ディスクのトラック溝の間隔においてはＲＦ信号が存在せず、ＲＦＲＰ信号が落ち込むためである。
【００２２】
一方、正しくＲＦ信号の有無を検出するためにＲＦＲＰ信号検出閾値を下げると、未記録領域においてもＲＦ信号が存在すると判断されかねない。すなわち、上記方法においては、ＲＦＲＰ信号検出閾値の設定が困難であった。
【００２３】
図４は、光ディスクの未記録領域と記録領域を区別するための方法の他の例を示した説明図である。より詳細には、図４は、ＲＦＲＰ信号の振幅をＲＦＲＰ信号検出閾値で２値化したＲＦＲＰ２値化信号を、例えばモノマルチバイブレータ回路を用いて引き伸ばしてＲＥＣＤ信号を生成する例を示している。かかる方法によれば、ある程度まとまった記録領域（ＲＦが存在する領域）を検出できるが、記録領域または未記録領域の一方が大部分である領域において他方が僅かに存在した場合、記録領域または未記録領域の他方を検出することが困難であった。
【００２４】
そこで、上記事情を一着眼点にして本実施形態にかかる光ディスク装置２０を創作するに至った。本実施形態にかかる光ディスク装置２０によれば、光ディスクの対象領域が記録領域であるか、または未記録領域であるかをより高い精度で、かつ迅速に判断することができる。以下、このような光ディスク装置２０について図５〜図１０を参照して説明する。
【００２５】
〔２〕本実施形態にかかる光ディスク装置
〔２−１〕光ディスク装置の構成
図５は、本実施形態にかかる光ディスク装置２０の構成を示した説明図である。図５に示したように、当該光ディスク装置２０は、スピンドルモータ２０４と、スピンドルサーボ部２０８と、光ピックアップ２１０と、ディスク挿排部２１２と、信号処理部２１４と、制御部２２０と、駆動部２３０と、アドレス復号回路２４０と、コントローラ２５０と、スレッドモータ２５４と、スレッドサーボ部２５８と、イコライザ２６２と、２値化部２６６と、メモリ２７０と、再生信号処理部２７４と、音声出力部２７８と、操作部２８２と、撮像素子２８６と、マイクロホン２９０と、記録信号処理部２９２と、表示部２６と、を備える。
【００２６】
スピンドルモータ２０４は、装着されている光ディスク８０を、スピンドルサーボ部２０８から入力される制御信号に基づいて回転駆動する。なお、光ディスク８０に記録されるデータは、音楽、講演およびラジオ番組などの音楽データや、映画、テレビジョン番組、ビデオプログラム、写真、文書、絵画および図表などの映像データや、ゲームおよびソフトフェアなどの任意のデータであってもよい。また、光ディスク８０は、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｍｄｏｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどであってもよい。
【００２７】
光ピックアップ２１０は、光ディスク８０に対してレーザ光を照射し、光ディスク８０からの反射光を電気信号に変換して出力する。以下、図６を参照して光ピックアップ２１０の詳細な構成を説明する。
【００２８】
図６は、光ピックアップ２１０の構成を示した説明図である。図６に示したように、光ピックアップ２１０は、ＬＤ（Ｌａｓｅｒ  Ｄｉｏｄｅ）３０２と、ＰＢＳ（Ｐｏｌａｒｉｚｉｎｇ  Ｂｅａｍ  Ｓｐｌｉｔｔｅｒ）３０４と、１／４波長板３０６と、対物レンズ３０８と、２軸アクチュエータ３１０と、ＰＤ（Ｐｈｏｔｏｄｉｏｄｅ）３１２と、を備える。
【００２９】
ＬＤ３０２は、レーザ制御部２９２による制御に基づきレーザ光を発光するレーザ照射部としての機能を有する。ＰＢＳ３０４は、ＬＤ３０２により発光されたレーザ光のうちで一方向に振動する成分を透過し、他方向に振動する成分を反射させる。１／４波長板３０６は、直線偏光を円偏光に、円偏光を直線偏光に変換する。対物レンズ３０８は、ＬＤ３０２から発光され、ＰＢＳ３０４および１／４波長板３０６を透過したレーザ光の集光し、光ディスク８０の記録層８４にビームスポットを形成する。
【００３０】
２軸アクチュエータ３１０は、フォーカス駆動部２３２により生成されるフォーカス駆動信号に基づき、対物レンズ３０８を光ディスク８０との離隔方向に移動させる。すなわち、２軸アクチュエータ３１０は、ビームスポットの位置（焦点位置）を調節するフォーカス調節部としての機能を有する。また、２軸アクチュエータ３１０は、トラッキング駆動部２３４により生成されるトラッキング駆動信号に基づき、対物レンズ３０８を光ディスク８０の半径方向に移動させる。
【００３１】
ＰＤ３１２は、光ディスク８０からの反射光が対物レンズ３０８、１／４波長板３０６、およびＰＢＳ３０４を介して入射され、入射された反射光を電気信号に変換する光電変換部として機能する。すなわち、ＰＤ３１２は、光ディスク８０の反射光からさ再生信号を生成する再生信号生成部としての機能を有する。
【００３２】
ここで、図５を参照して光ディスク装置２０の構成の説明に戻ると、信号処理部２１４は、光ピックアップ２１０のＰＤ３１２から入力される電気信号から、フォーカスエラー信号、トラッキングエラー信号、ＲＦＲＰ信号などの信号を生成する。当該信号処理部２１４の詳細な構成については図７を参照して後述する。
【００３３】
制御部２２０は、フォーカス制御部２２２およびトラッキング制御部２２４を備え、光ピックアップ２１０によるフォーカスサーボおよびトラッキングサーボを制御する。具体的には、フォーカス制御部２２２は、信号処理部２１４により検出されたフォーカスエラー信号に対して所定のゲイン（フォーカスゲイン、利得）を有するフォーカス駆動信号の生成をフォーカス駆動部２３２に指示する。また、トラッキング制御部２２４は、信号処理部２１４により検出されたトラッキングエラー信号に応じたトラッキング駆動信号の生成をトラッキング駆動部２３４に指示する。
【００３４】
駆動部２３０は、フォーカス駆動部２３２およびトラッキング駆動部２３４を備え、制御部２２０により指示された駆動信号を生成する信号生成部としての機能を有する。具体的には、フォーカス駆動部２３２はフォーカス制御部２２２により指示されたフォーカス駆動信号を生成し、トラッキング駆動部２３４はトラッキング制御部２２４により指示されたトラッキング駆動信号を生成する。光ピックアップ２１０内の２軸アクチュエータ３１０は、駆動部２３０により生成されたフォーカス駆動信号およびトラッキング駆動信号に基づいて対物レンズを移動させ、フォーカスサーボおよびトラッキングサーボを実現する。
【００３５】
アドレス復号回路２４０は、光ディスク８０に事前にトラックを蛇行させて記録されているアドレス情報をトラッキング信号（ＰＰ信号）として入力され、アドレス情報を復号してコントローラ２５０に供給する。
【００３６】
コントローラ２５０は、アドレス復号回路２４０から供給されるアドレス情報に基づいて、光ピックアップ２１０を所望の位置へ移動させるよう例えばスレッドサーボ部２５８を制御する。また、コントローラ２５０は、レーザ制御部２９２、フォーカス制御部２２２、およびトラッキング制御部２２４を制御し、レーザ光の照射、フォーカスサーボ、およびトラッキングサーボのオンオフを順次切替える。なお、図５においては、図面の明瞭性の観点からＣを○で囲った記号をコントローラ２５０として示している。
【００３７】
イコライザ２６２は光ピックアップ２１０から読み出された映像や音声などのデータ信号（ＲＦ信号）の波形整形を行い、２値化部２６６は波形整形されたデータ信号をデジタル形式に変換して映像データや音声データとしてメモリ２７０に供給する。
【００３８】
再生信号処理部２７４は、メモリ２７０に蓄えられている映像データおよび音声データに、例えばＥＦＭプラス復調、誤り訂正、デコード処理などを施し、映像データは表示部２６へ、音声データは音声出力部２７８へ供給する。表示部２６は再生信号処理部２７４から供給される映像データに基づいて映像を表示し、イヤホンやスピーカなどの音声出力部２７８は再生信号処理部２７４から供給される音声データに基づいて音声を出力する。
【００３９】
操作部２８２は、記録ボタンや再生ボタンなどのユーザインターフェースに対応し、ユーザからの各種指示を検出する。各種指示としては、映像データおよび音声データの再生／一時停止／早送り／巻き戻し／音量調整等があげられる。
【００４０】
撮像素子２８６は、集光された被写体の映像を、電気信号である映像データに変換する。例えば、撮像素子２８６は、ＣＭＯＳ撮像素子であっても、ＬＢＣＡＳＴ撮像素子であっても、ＣＣＤ（Ｃｈａｒｇｅ  Ｃｏｕｐｌｅｄ  Ｄｅｖｉｃｅ）であってもよい。マイクロホン２９０は、周囲で発せられた音を電気信号である音声データに変換する収音部としての機能を有する。記録信号処理部２９２は、撮像素子２８６で取り込まれた被写体像の映像データおよびマイクロホン２９０で取り込まれた外部音の音声データを、光ディスク８０への記録用のフォーマットに変換する。
【００４１】
ディスク挿排部２１２は、光ディスク８０の光ディスク装置２０への挿入、および光ディスク装置２０からの排出を行なう。例えば、光ディスク８０がトレイに載置される場合、ディスク挿排部２１２は当該トレイを光ディスク装置２０の内側と外側の間で往復運動させる。あるいは、光ディスク装置２０がスロットインタイプである場合、ディスク挿排部２１２は、光ディスク８０の挿入時に光ディスクを引き込み、排出時に光ディスクを押し出す。
【００４２】
続いて、図７〜図９を参照し、光ディスク８０の記録領域および未記録領域を判断する上で重要な信号処理部２１４の詳細な構成を説明する。
【００４３】
図７は、信号処理部２１４の詳細な構成を示した説明図である。図８は、信号処理部２１４において生成される各信号波形の具体例を示した説明図である。図７に示したように、信号処理部２１４は、アナログ信号処理回路３２０およびデジタル信号処理回路３３０を備える。また、アナログ信号処理回路３２０は、ＴＥ信号生成部３２２、ＴＺＣ信号生成部３２４、およびＲＥＣＤ信号生成部３２６を含み、デジタル信号処理回路３３０は、ＴＺＣエッジ計数部３３２およびＲＥＣＤ信号計数部３３４を含む。
【００４４】
なお、以下で説明する信号処理部２１４の動作は、例えば２軸アクチュエータ３１０またはスレッドモータ２５４により焦点位置が０．５ｍｍだけ光ディスク８０半径方向に移動される間に行なわれる（フォーカスオン、トラックオフ状態）。または、以下で説明する信号処理部２１４の動作は、光ディスク８０の偏心により、焦点位置が光ディスク８０の半径方向で移動する間に行なわれてもよい。
【００４５】
ＴＥ信号生成部３２２は、ＰＤ３１２から入力される電気信号に基づいて、光ディスクに形成されているトラックから焦点位置のズレ量を示すＴＥ（トラッキングエラー）信号を生成する。
【００４６】
ＴＺＣ信号生成部（エラー信号２値化部）３２４は、ＴＥ信号生成部３２２により生成されたＴＥ信号を、０を閾値として２値化してＴＺＣ信号（トラックゼロクロス信号、２値化トラッキングエラー信号）を生成する。例えば、ＴＺＣ信号生成部３２４は、図８に示したように、対象領域が記録領域であるか否かに係らず、周期的な波形を有するＴＺＣ信号を生成する。
【００４７】
ＲＥＣＤ信号生成部（再生信号２値化部）３２６は、ＲＦＲＰ信号を所定の閾値で２値化してＲＥＣＤ信号（２値化再生信号）を生成する。具体的には、ＲＥＣＤ信号生成部３２６は、図８に示したように、ＲＦＲＰ信号の値が所定の閾値（ＲＦＲＰ信号と交差する点線）を上回る場合にハイレベル（第１のレベル）、下回る場合にローレベル（第２のレベル）のＲＥＣＤ信号を生成する。
【００４８】
ＴＺＣエッジ計数部３３２は、ＴＺＣ信号生成部３２４により生成されたＴＺＣ信号の立ち上がり、または立ち下がりを検出し、ＴＺＣ信号の立ち上がりの回数、または立ち下がりの回数を計数する第２の計数部としての機能を有する。
【００４９】
また、ＲＥＣＤ信号計数部３３４は、ＴＺＣ信号の立ち上がり、または立ち下がりの周期ごとに、周期のうちの少なくとも１期間でＲＥＣＤ信号がハイレベルであったか否かを検出する検出部としての機能を有する。さらに、ＲＥＣＤ信号計数部３３４は、周期のうちの少なくとも１期間でＲＥＣＤ信号がハイレベルであったＴＺＣ信号の周期数を計数する第１の計数部としての機能を有する。以下、図９を参照し、ＴＺＣエッジ計数部３３２およびＲＥＣＤ信号計数部３３４による計数について具体的に説明する。
【００５０】
図９は、ＴＺＣエッジ計数部３３２およびＲＥＣＤ信号計数部３３４による計数の具体例を示した説明図である。図９に示したように、ＴＺＣエッジ計数部３３２は、例えばＴＺＣ信号の立下りを検出するとカウントアップする。また、ＲＥＣＤ信号計数部３３４は、例えばＴＺＣ信号の立下りの各周期の少なくとも１期間においてハイレベルであるＲＥＣＤ信号を検出するとカウントアップする。図９に示した例では、ＴＺＣエッジ計数部３３２によるカウント値が「２３」〜「２８」と連続的に増加するのに対し、ＲＥＣＤ信号計数部３３４によるカウント値が「１１」において停滞している。
【００５１】
コントローラ２５０は、ＴＺＣエッジ計数部３３２によるカウント値、およびＲＥＣＤ信号計数部３３４によるカウント値の少なくともいずれかに基づき、焦点位置の移動範囲（対象領域）が記録領域であるか未記録領域であるかを判断する判断部としての機能を有する。
【００５２】
例えば、コントローラ２５０は、ＲＥＣＤ信号計数部３３４によるカウント値が０であった場合、コントローラ２５０は対象領域が未記録領域であると判断してもよい。ＲＥＣＤ信号計数部３３４によるカウント値が０であった場合、対象領域からＲＦ信号が得られなかったと考えられるので、上記のように対象領域を未記録領域であると判断することは妥当である。ただし、光ディスク８０の傷や付着物、およびノイズなどの影響により、未記録領域においてもＲＥＣＤ信号がハイレベルになってしまう場合も想定される。
【００５３】
そこで、コントローラ２５０は、ＲＥＣＤ信号計数部３３４によるカウント値が、ＴＺＣエッジ計数部３３２によるカウント値の所定の割合（第１の割合、例えば１％）以下であった場合、対象領域が未記録領域であると判断してもよい。かかる構成により、光ディスク８０の傷や付着物、およびノイズなどの影響を抑制し、より正確に対象領域を判断することができる。
【００５４】
また、コントローラ２５０は、ＲＥＣＤ信号計数部３３４によるカウント値が、ＴＺＣエッジ計数部３３２によるカウント値と一致する場合、対象領域が記録領域であると判断してもよい。一方、コントローラ２５０は、ＲＥＣＤ信号計数部３３４によるカウント値が、ＴＺＣエッジ計数部３３２によるカウント値と一致しない場合、対象領域が未記録領域であると判断してもよい。通過した全てのトラックからＲＦ信号が得られた場合にＲＥＣＤ信号計数部３３４によるカウント値がＴＺＣエッジ計数部３３２によるカウント値と一致するため、上記のように対象領域を未記録領域であると判断することは妥当である。ただし、光ディスク８０の傷や付着物、およびノイズなどの影響により、記録領域においてもＲＥＣＤ信号がローレベルになってしまう場合も想定される。
【００５５】
そこで、コントローラ２５０は、ＲＥＣＤ信号計数部３３４によるカウント値が、ＴＺＣエッジ計数部３３２によるカウント値の所定の割合（第２の割合、例えば９５％）以上であった場合、対象領域が記録領域であると判断してもよい。かかる構成により、光ディスク８０の傷や付着物、およびノイズなどの影響を抑制し、より正確に対象領域を判断することが可能となる。
【００５６】
そして、コントローラ２５０による判断結果は、サーボ調整やディスク判別などの任意の用途に利用される。より具体的には、トラッキングエラー（ＴＥ）信号、フォーカスエラー（ＦＥ）信号、センターエラー（ＣＥ）信号、および和信号（ＰＩ）信号などのゲイン調整を、対象領域が記録領域であるか未記録領域に応じて行なってもよい。
【００５７】
また、Ｗｏｂｂｌｅ信号は、トラック溝に沿って記録されており、光ディスク８０の盤面情報などを含む。ここで、Ｗｏｂｂｌｅ信号は、光ディスク８０の種類によって異なる。したがって、かかるＷｏｂｂｌｅ信号を読み込むことで光ディスク８０の種類を判別することが理論的には可能である。しかし、Ｗｏｂｂｌｅ信号の可読性は光ディスク８０の記録領域において著しく低下する場合がある。そこで、コントローラ２５０により未記録領域であると判断された領域においてＷｏｂｂｌｅ信号の読出しに基づくディスク判別を行ってもよい。
【００５８】
〔２−２〕光ディスク装置の動作
以上、図５〜図９を参照して本実施形態にかかる光ディスク装置２０の構成を説明した。続いて、図１０を参照し、本実施形態にかかる光ディスク装置２０において実行される領域判断方法について説明する。
【００５９】
図１０は、本実施形態にかかる光ディスク装置２０において実行される領域判断方法の流れを示したフローチャートである。図１０に示したように、まず、コントローラ２５０が、スレッドモータ２５４または２軸アクチュエータを制御することにより、焦点位置の光ディスク８０の半径方向への移動を開始する（Ｓ４０４）。続いて、光ディスク８０の反射光からＴＥ信号生成部３２２がＴＥ信号を生成し、ＲＥＣＤ信号生成部３２６がＲＦＲＰ信号からＲＥＣＤ信号を生成し、ＴＺＣ信号生成部３２４がＴＥ信号からＴＺＣ信号を生成する（Ｓ４０８）。さらに、ＴＺＣエッジ計数部３３２がＴＺＣ信号の周期を計数し、ＲＥＣＤ信号計数部３３４が、周期のうちの少なくとも１期間でＲＥＣＤ信号がハイレベルであったＴＺＣ信号の周期数を計数する（Ｓ４０８）。
【００６０】
そして、焦点位置が対象領域に渡って移動された後、コントローラ２５０は、ＲＥＣＤ信号計数部３３４によるカウント値と、ＴＺＣエッジ計数部３３２によるカウント値とを比較する（Ｓ４１２）。コントローラ２５０は、ＲＥＣＤ信号計数部３３４によるカウント値が、ＴＺＣエッジ計数部３３２によるカウント値の第１の割合以下であった場合、対象領域が未記録領域であると判断する（Ｓ４１６）。一方、コントローラ２５０は、ＲＥＣＤ信号計数部３３４によるカウント値が、ＴＺＣエッジ計数部３３２によるカウント値の第１の割合以上である場合、さらに第２の割合以上であるか否かを判断する（Ｓ４１８）。そして、コントローラ２５０は、ＲＥＣＤ信号計数部３３４によるカウント値が、ＴＺＣエッジ計数部３３２によるカウント値の第２の割合以上である場合、対象領域が記録領域であると判断する（Ｓ４２０）。一方、コントローラ２５０は、ＲＥＣＤ信号計数部３３４によるカウント値が、ＴＺＣエッジ計数部３３２によるカウント値の第１の割合以上であって第２の割合以下である場合、対象領域が記録領域と未記録領域の混在領域であると判断する。
【００６１】
なお、図１０にはコントローラ２５０による判断方法の一例を示した過ぎず、コントローラ２５０は、「〔２−１〕光ディスク装置の構成」で説明したように、多様な方法により対象領域が記録領域であるか未記録領域であるかを判断することが可能である。
【００６２】
〔３〕まとめ
以上説明したように、本実施形態にかかる光ディスク装置２０おいては、コントローラ２５０が、ＲＥＣＤ信号計数部３３４およびＴＺＣエッジ計数部３３２によるカウント値を比較し、光ディスク８０の対象領域が記録領域であるか未記録領域であるか判断する。このような本実施形態にかかる光ディスク装置２０によれば、トラック単位での記録または未記録を判断することができる。さらに、本実施形態にかかる光ディスク装置２０によれば、トラッキングサーボのオフ状態で焦点位置（光ピックアップ２１０または対物レンズ３０８）を移動させることにより、高速で広範にわたる領域の判断を行なうことができる。すなわち、本実施形態にかかる光ディスク装置２０によれば、迅速、かつ高い精度で対象領域が記録領域であるか未記録領域であるか判断することが可能である。
【００６３】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６４】
例えば、本明細書の光ディスク装置２０の処理における各ステップは、必ずしもフローチャートとして記載された順序に沿って時系列に処理する必要はない。例えば、光ディスク装置２０の処理における各ステップは、並列的あるいは個別に実行される処理（例えば、並列処理あるいはオブジェクトによる処理）を含んでもよい。
【図面の簡単な説明】
【００６５】
【図１】光ディスクの記録領域における各信号波形の一例を示した説明図である。
【図２】記録領域および未記録領域が混在した場合の各信号波形の一例を示した説明図である。
【図３】光ディスクの未記録領域と記録領域を区別するための方法の一例を示した説明図である。
【図４】光ディスクの未記録領域と記録領域を区別するための方法の他の例を示した説明図である。
【図５】本実施形態にかかる光ディスク装置の構成を示した説明図である。
【図６】光ピックアップの構成を示した説明図である。
【図７】信号処理部の詳細な構成を示した説明図である。
【図８】信号処理部において生成される各信号波形の具体例を示した説明図である。
【図９】ＴＺＣエッジ計数部およびＲＥＣＤ計数部による計数の具体例を示した説明図である。
【図１０】本実施形態にかかる光ディスク装置において実行される領域判断方法の流れを示したフローチャートである。
【符号の説明】
【００６６】
２０      光ディスク装置
２１０    光ピックアップ
２１４    信号処理部
２５０    コントローラ
３１２    ＰＤ
３２２    ＴＥ信号生成部
３２４    ＴＺＣ信号生成部
３２６    ＲＥＣＤ信号生成部
３３２    ＴＺＣエッジ計数部
３３４    ＲＥＣＤ信号計数部
【図１】
2009283066.tif 000003
【図２】
2009283066.tif 000004
【図３】
2009283066.tif 000005
【図４】
2009283066.tif 000006
【図５】
2009283066.tif 000007
【図６】
2009283066.tif 000008
【図７】
2009283066.tif 000009
【図８】
2009283066.tif 000010
【図９】
2009283066.tif 000011
【図１０】
2009283066.tif 000012